(57)【要約】【課題】一括ゴム栓の貫通孔がキャビティに対して位置ずれすることを防止する。【解決手段】一括ゴム栓２０には、複数の貫通孔２１を個別に前方へ延長させた形態であって、複数のキャビティ１１に対して後方から個別に嵌入される複数のガイド筒部２４を形成した。複数の貫通孔２１に順次に端子金具４０を挿入していく過程で、未挿入の貫通孔２１の後端側部分のアライメントがキャビティ１１に対してずれても、その貫通孔２１から前方へ延長したガイド筒部２４がキャビティ１１の後端部に嵌入されているので、端子金具４０は、キャビティ１１の入口の開口縁に引っ掛かることなく、円滑にキャビティ１１内に挿入される。【選択図】図１
2008300318.tif 000002
【特許請求の範囲】
【請求項１】
内部に複数のキャビティが形成されたハウジングと、
前記ハウジングに対しその後端面を覆うように組み付けられ、前記複数のキャビティと対応する複数の貫通孔が形成されている一括ゴム栓と、
後方から前記貫通孔を貫通して前記キャビティ内に挿入された端子金具と、
前記端子金具の後端部に接続され、前記貫通孔に液密状に貫通された電線とを備えているコネクタにおいて、
前記一括ゴム栓には、前記複数の貫通孔を個別に前方へ延長させた形態であって、前記複数のキャビティに対して後方から個別に嵌入される複数のガイド筒部が形成されていることを特徴とするコネクタ。
【請求項２】
前記ガイド筒部の外周は、前記キャビティの内周に対して面接触する形態とされていることを特徴とする請求項１に記載のコネクタ。
【請求項３】
前記ガイド筒部の内周は、前記電線の外周に対して液密状に接触する形態とされていることを特徴とする請求項１または請求項２に記載のコネクタ。
【発明の詳細な説明】
【技術分野】
【０００１】
本発明は、コネクタに関するものである。
【背景技術】
【０００２】
特許文献１には、内部に複数のキャビティが形成されたハウジングの背面に、一括ゴム栓を取り付けた形態のコネクタが開示されている。一括ゴム栓には、フード部マスク数のキャビティと対応する貫通孔が複数形成されており、各貫通孔には、端子金具と、その後端部に接続した電線が貫通され、端子金具がキャビティ内に取り付けられた状態では、貫通孔の内周が電線の外周に密着することで、防水が図られるようになっている。
【特許文献１】特開２００１−８５１０４公報
【発明の開示】
【発明が解決しようとする課題】
【０００３】
上記従来のコネクタでは、複数の貫通孔に対して１つずつ順次に端子金具を貫通していくようになっているため、貫通済みの貫通孔の周囲の肉が、それに隣接する未貫通の貫通孔を圧迫し、その未貫通の貫通孔のアライメントがキャビティに対してずれることになる。このキャビティに対する貫通孔の位置ずれは、その貫通孔に端子金具と電線を貫通させた後も矯正されないため、貫通孔を通過した端子金具がキャビティの入口の口縁部に引っ掛かることが懸念される。  
本発明は上記のような事情に基づいて完成されたものであって、一括ゴム栓の貫通孔がキャビティに対して位置ずれするのを防止することを目的とする。
【課題を解決するための手段】
【０００４】
上記の目的を達成するための手段として、請求項１の発明は、内部に複数のキャビティが形成されたハウジングと、前記ハウジングに対しその後端面を覆うように組み付けられ、前記複数のキャビティと対応する複数の貫通孔が形成されている一括ゴム栓と、後方から前記貫通孔を貫通して前記キャビティ内に挿入された端子金具と、前記端子金具の後端部に接続され、前記貫通孔に液密状に貫通された電線とを備えているコネクタにおいて、前記一括ゴム栓には、前記複数の貫通孔を個別に前方へ延長させた形態であって、前記複数のキャビティに対して後方から個別に嵌入される複数のガイド筒部が形成されているところに特徴を有する。
【０００５】
請求項２の発明は、請求項１に記載のものにおいて、前記ガイド筒部の外周は、前記キャビティの内周に対して面接触する形態とされているところに特徴を有する。  
請求項３の発明は、請求項１または請求項２に記載のものにおいて、前記ガイド筒部の内周は、前記電線の外周に対して液密状に接触する形態とされているところに特徴を有する。
【発明の効果】
【０００６】
＜請求項１の発明＞
複数の貫通孔に順次に端子金具を挿入していく過程で、未挿入の貫通孔の後端側部分のアライメントがキャビティに対してずれても、その貫通孔から前方へ延長したガイド筒部がキャビティの後端部に嵌入されているので、端子金具は、キャビティの入口の開口縁に引っ掛かることなく、円滑にキャビティ内に挿入される。
【０００７】
＜請求項２の発明＞
ガイド筒部の外周に、比較的弾性変形し易い小さなリブ状の突起が形成されている場合には、その突起の弾性変形に伴ってガイド筒部がキャビティに対して位置ずれすることになるが、本発明では、ガイド筒部の外周を、キャビティの内周に対して面接触する形態としているので、局部的に弾性変形し易い部位は存在しない。したがって、ガイド筒部がキャビティに対して正規の位置から位置ずれする虞がない。
【０００８】
＜請求項３の発明＞
電線は、貫通孔とガイド筒部の内周とに貫通されるが、電線の外周に対しては貫通孔の内周だけでなく、ガイド筒部の内周も液密状に密着するので、シール性が高められている。
【発明を実施するための最良の形態】
【０００９】
＜実施形態１＞
以下、本発明を具体化した実施形態１を図１乃至図７を参照して説明する。本実施形態１のコネクタＡは、ハウジング１０と一括ゴム栓２０とホルダ３０とを備えて構成されている。  
ハウジング１０は、合成樹脂製であり、全体として扁平なブロック状をなす。ハウジング１０内には、後方から端子金具４０を挿入させるための複数のキャビティ１１が上下左右に整列して形成されている。キャビティ１１の後端部、即ち端子金具４０の挿入口となる領域では、その端子金具４０の挿入方向と直角な横断面形状が、縦長の方形をなしている。
【００１０】
一括ゴム栓２０は、横長の長円形をなしており、ハウジング１０に対してその後端面におけるキャビティ１１の形成範囲全体を覆うように且つハウジング１０の後端面に密着する形態で組み付けられている。一括ゴム栓２０には、複数のキャビティ１１に対して個別に対応する複数の貫通孔２１が上下左右に整列して形成されている。各貫通孔２１は、その貫通方向（前後方向）と直角な横断面形状が円形となっており、貫通孔２１の内周には、周方向に延びる複数のリップ部２２が、貫通方向に間隔を空けて形成されている。また、一括ゴム栓２０の外周には、図示しない相手側コネクタのフード部の内周に対して液密状に密着するリップ部２３が形成されている。
【００１１】
かかる一括ゴム栓２０には、前方へ突出する複数のガイド筒部２４が一体に形成されている。各ガイド筒部２４は、貫通孔２１を前方へ延長させた形態であって、各キャビティ１１と個別に対応するように配置されている。各ガイド筒部２４の外周は、上下左右の平坦面から構成され、横断面形状は縦長の方形をなしていて、キャビティ１１の後端部に対して上下左右にガタ付きなく嵌入されている。ガイド筒部２４の中空内は、貫通孔２１と同心で且つ貫通孔２１と同径の円形のガイド孔２５となっており、ガイド孔２５の内周には、貫通孔２１と同様に複数のリップ部２６が貫通方向に間隔を空けて形成されている。
【００１２】
さらに、一括ゴム栓２０には、後方へ突出する複数の位置決め筒部２７が一体に形成されている。各位置決め筒部２７は、貫通孔２１を後方へ延長させた形態であって、各キャビティ１１と個別に対応するように配置されている。各位置決め筒部２７の外周は、ガイド筒部２４と同じく上下左右の平坦面から構成され、横断面形状は縦長の方形をなしている。位置決め筒部２７の中空内は、貫通孔２１と同心で且つ貫通孔２１と同径の円形の挿入孔２８となっており、挿入孔２８の内周には、貫通孔２１と同様に複数のリップ部２９が貫通方向に間隔を空けて形成されている。
【００１３】
ホルダ３０は、合成樹脂製であり、一括ゴム栓２０と同じく横長の長円形をなしている。ホルダ３０には、貫通孔２１と対応する複数の位置決め孔３１が上下左右に整列して貫通して形成されており、各位置決め孔３１は、その貫通方向と直角な横断面形状が縦長の長方形となっている。かかるホルダ３０は、一括ゴム栓２０の後方から組み付けられ、左右両端の弾性係止片３２をハウジング１０の係止部１２に係止させることによりハウジング１０に組み付けられる。組付け状態では、一括ゴム栓２０が、ハウジング１０の後端面とホルダ３０の前面との間で挟み付けられることにより、組付け状態に保持される。また、各位置決め孔３１に対しては、前方から位置決め筒部２７が上下左右にガタ付きなく嵌入されている。
【００１４】
ハウジング１０内には後方から端子金具４０が取り付けられる。端子金具４０は、全体として前後方向に細長く前端部にタブ４１が形成された雄形をなす周知形状のものである。かかる端子金具４０の後端部には、円形断面の電線４２が導通可能に接続され、接続された電線４２は、端子金具４０から後方へ延出した形態となっている。
【００１５】
かかる端子金具４０は、ハウジング１０に一括ゴム栓２０とホルダ３０を組み付けた後で、後方からキャビティ１１内に挿入される。挿入に際しては、端子金具４０を、ホルダ３０に嵌合されている位置決め筒部２７の挿入孔２８内に差し込み、貫通孔２１とガイド孔２５に挿通させ、キャビティ１１内に収容する。端子金具４０が通過する過程では、一括ゴム栓２０の貫通孔２１が上下左右に弾性的に拡開させられるため、これに隣接する貫通孔２１の中心がキャビティ１１に対して上下又は左右に偏心するように位置ずれすることが懸念される。
【００１６】
しかし、本実施形態では、貫通孔２１を前方へ延長させた形態のガイド筒部２４がキャビティ１１の後端部に対して上下左右へのガタ付きなく嵌入されているとともに、貫通孔２１を後方へ延長させた形態の位置決め筒部２７がホルダ３０の位置決め孔３１に対して上下左右へのガタ付きなく嵌入されているので、貫通孔２１が上下左右に位置ずれする虞はない。  
また、たとえ貫通孔２１が位置ずれしたとしても、貫通孔２１にはガイド孔２５が連なっていて、このガイド孔２５が形成されているガイド筒部２４は、キャビティ１１の後端部内に嵌入されているので、偏心している貫通孔２１を通過した端子金具４０がキャビティ１１の後端側の開口縁（キャビティ１１の入口の開口縁）に突き当たったり引っ掛かったりする虞はない。しかも、ガイド筒部２４はキャビティ１１に対して位置ずれしないように嵌合されているので、ガイド孔２５もキャビティ１１に対して位置ずれしない状態に保たれる。したがって、偏心している貫通孔２１を通過した端子金具４０は、ガイド孔２５を通過するときに位置ずれが矯正され、キャビティ１１の内壁に引っ掛かる虞もない。
【００１７】
上述のように本実施形態では、一括ゴム栓２０に、複数の貫通孔２１を個別に前方へ延長させた形態であって、複数のキャビティ１１に対して後方から個別に嵌入される複数のガイド筒部２４を形成している。これにより、複数の貫通孔２１に順次に端子金具４０を挿入していく過程で、未挿入の貫通孔２１の後端側部分のアライメントがキャビティ１１に対してずれても、端子金具４０を、キャビティ１１の入口の開口縁に引っ掛かけることなく、円滑にキャビティ１１内に挿入することができる。
【００１８】
また、ガイド筒部２４の外周に、リップ部のような比較的弾性変形し易い小さなリブ状の突起が形成されている場合には、その突起の弾性変形に伴ってガイド筒部２４がキャビティ１１に対して位置ずれすることになるが、本実施形態では、ガイド筒部２４の外周を、キャビティ１１の内周に対して面接触する形態としているので、局部的に弾性変形し易い部位は存在しない。したがって、ガイド筒部２４がキャビティ１１に対して正規の位置から位置ずれする虞がない。
【００１９】
また、電線４２は、貫通孔２１とガイド筒部２４の内周とに貫通されるのであるが、ガイド筒部２４の内周は、リップ部２６を形成することにより、電線４２の外周に対して液密状に接触する形態とされているので、電線４２の外周に対しては貫通孔２１の内周だけでなく、ガイド筒部２４の内周も液密状に密着するようになる。これにより、シール性が高められている。さらには、位置決め筒部２７の挿入孔２８にもリップ部２９が形成されていて、このリップ部２９も電線４２に対して液密状に密着するので、シール性がより高められている。
【００２０】
また、互いに嵌合しているガイド筒部２４とキャビティ１１は、共に方形断面なので、キャビティ１１に対してガイド筒部２４が周方向に回転したり捻れる虞はない。同様に、互いに嵌合している位置決め筒部２７と位置決め孔３１も、共に方形断面なので、ホルダ３０に対して位置決め筒部２７が周方向に回転したり捻れたりする虞はない。
【００２１】
＜実施形態２＞
次に、本発明を具体化した実施形態２を図８を参照して説明する。本実施形態２のコネクタＢの一括ゴム栓５０は、ガイド孔５１と挿入孔５２の内周にリップ部を形成しない形態としている点において、実施形態１のコネクタＡと相違する。その他の構成については上記実施形態１と同じであるため、同じ構成については、同一符号を付し、構造、作用及び効果の説明は省略する。
【００２２】
＜実施形態３＞
次に、本発明を具体化した実施形態３を図９を参照して説明する。本実施形態３のコネクタＣは、一括ゴム栓６０に位置決め筒部２７が形成されていない点、及びホルダの位置決め孔３１が形成されていない点において実施形態１のコネクタＡと相違する。その他の構成については上記実施形態１と同じであるため、同じ構成については、同一符号を付し、構造、作用及び効果の説明は省略する。
【００２３】
＜他の実施形態＞
本発明は上記記述及び図面によって説明した実施形態に限定されるものではなく、例えば次のような実施態様も本発明の技術的範囲に含まれる。  
（１）ガイド筒部の外周の断面形状は、方形に限らず、円形、楕円形、長円形等であってもよい。  
（２）ガイド筒部の外周に、周方向に延びる防水用のリップ部を形成してもよい。  
（３）実施形態３において、ガイド筒状部材の内周は、電線の外周に対して非接触、または非防水状態で接触する形態としてもよい。
【図面の簡単な説明】
【００２４】
【図１】実施形態１の縦断面図
【図２】水平断面図
【図３】ハウジングの背面図
【図４】一括ゴム栓の正面図
【図５】一括ゴム栓の背面図
【図６】一括ゴム栓の縦断面図
【図７】一括ゴム栓の水平断面図
【図８】実施形態２の一括ゴム栓の縦断面図
【図９】実施形態３の一括ゴム栓の縦断面図
【符号の説明】
【００２５】
Ａ…コネクタ
１０…ハウジング
１１…キャビティ
２０…一括ゴム栓
２１…貫通孔
２４…ガイド筒部
Ｂ，Ｃ…コネクタ
５０，６０…一括ゴム栓
【図１】
2008300318.tif 000003
【図２】
2008300318.tif 000004
【図３】
2008300318.tif 000005
【図４】
2008300318.tif 000006
【図５】
2008300318.tif 000007
【図６】
2008300318.tif 000008
【図７】
2008300318.tif 000009
【図８】
2008300318.tif 000010
【図９】
2008300318.tif 000011